(57)【要約】【課題】巻き締めはもとより巻き戻しに関して段階的調整を可能とした上げ下げ窓の釣合力調整装置において、捻り力の導入程度が一目で判別できるようにする。【解決手段】釣合力調整装置６は、ケース２０と、このケース内の所定位置に水平軸回りに回転自在に設置され、軸部周囲にラチェットギア２３ｂが形成された水平ギア部材２３と、前記水平ギア部材２３の隣接位置に水平軸回りに所定角度範囲で回動自在に設置され、中間軸部の両側に夫々前記水平ギア部材２３方向に延出する２つクリック２４ａ、２４ｂを備えたクリック部材２４と、前記水平ギア部材２３と噛合する鉛直ギア部材２６と、この鉛直ギア部材２６の軸部２６ｃに螺合されるとともに、外周面に形成された凸部２７ｂを前記ケース２０に形成された縦方向スリット溝２１ｍより外部に望ませ、前記鉛直ギア部材２６の回転に伴って上下動するようにした初期導入力表示用インジケータ部材２７とからなる。【選択図】図７
2011017181.tif 000002
【特許請求の範囲】
【請求項１】
ケースと、このケース内の所定位置に水平軸回りに回転自在に設置され、頭部側にギアが形成されるとともに、軸部周囲にラチェットギアが形成され、かつケース外部に臨む軸端面にネジ回し係合部が形成された水平ギア部材と、前記水平ギア部材の隣接位置に水平軸回りに所定角度範囲で回動自在に設置されるとともに、ケース外部に臨む軸端面にネジ回し係合部が形成され、かつケース内において中間軸部の両側に夫々前記水平ギア部材方向に延出する２つクリックを備えるとともに、前記クリックの一方が前記水平ギア部材の軸部に形成されたラチェットギアと付勢的に噛合し、該クリックの一方の噛合が揺動操作によって解除された際、前記クリックの他方がラチェットギアに噛合する関係にあるクリック部材と、前記ケース内の所定位置に鉛直軸回りに回転自在に設置され、前記水平ギア部材頭部のギアと噛合するギアを備えるとともに、軸部を備え、前記水平ギア部材の回転により従動的に回転する鉛直ギア部材と、この鉛直ギア部材の軸部に螺合されるとともに、外周面に形成された凸部を前記ケースに形成された縦方向スリット溝より外部に望ませ、前記鉛直ギア部材の回転に伴って上下動するようにした初期導入力表示用インジケータ部材とから構成されることを特徴とする上げ下げ窓の釣合力調整装置。
【請求項２】
前記ケースにおいて、インジケータ部材の凸部を外部に臨ませた縦方向スリット溝に沿って目盛りを設けてある請求項１記載の上げ下げ窓の釣合力調整装置。
【請求項３】
上下方向に開閉される可動障子に設けられ、該可動障子の重量と力学的平衡関係を保ち可動障子を任意の位置に静止させるとともに、開閉操作を容易化するための釣合装置を備えた上げ下げ窓であって、
前記釣合装置は、縦枠の上部位置に固定配置される請求項１、２いずれかに記載の釣合力調整装置と、
捻りバネ収納筒と、内部に収容される捻りバネと、捻りバネの下端部に設けられる回転作動体とから構成され、前記釣合力調整装置の鉛直ギア部材に連結されて鉛直配置で設けられ、釣合力調整装置における調整操作により少なくとも捻りバネが軸芯回りに回転操作され、捻りバネに対する釣合力の導入・調整が可能となっているとともに、可動障子の開閉時に前記捻りバネにより可動障子と釣り合う上方向力を与える釣合力発生装置と、
前記可動障子の下端がわ側部に固設され、可動障子の上下動に伴って昇降するスライド体と、
このスライド体に下端が固定され、先端部分が前記釣合力発生装置の回転作動体を貫いて捻りバネ収納筒の内部に挿入され、前記可動障子の上下動に伴って前記回転作動体に鉛直軸回りの回転力を与えることにより捻りバネを巻き締め・巻き戻し動作させる螺旋杆とから構成されたことを特徴とする上げ下げ窓。
【発明の詳細な説明】
【技術分野】
【０００１】
本発明は、上下方向に開閉される可動障子を備えた上げ下げ窓の釣合力調整装置及びこれを用いた上げ下げ窓に関する。
【背景技術】
【０００２】
障子を上下方向に開閉する上げ下げ窓においては、障子を僅かな力で簡単に上下動させることができるようにするとともに、任意の開位置で静止させるようにするため、前記障子に対して障子重量と力学的平衡関係を保つ釣合装置を設けたものが知られている。この釣合装置は、捻りバネの捻り力を利用して窓障子に釣り合う平衡力を螺旋杆を介して作用させるように工夫された装置であり、公知のものとしては、たとえば下記特許文献１〜３等を挙げることができる。
【０００３】
これらの発明は、主に前記捻りバネの調整に係るものである。具体的に、従来より提案されている調整機構としては、ラチェット機構によりスライド装置に設けられた調整軸を一方向にのみ回転させるようにしたものと、調整軸にコイル状のブレーキバネを巻き付けてその緊縛力により調整軸に制動力を与えるようにしたものとに大別される。
【０００４】
しかしながら、前記ラチェット機構による調整構造のものは、捻りバネの巻き締めには非常に都合が良いが、巻き戻しができないために調整が一方向に限定されてしまうとともに、捻りバネの捻り力が一気に開放されてしまうなどの欠点があり、一方ブレーキバネを利用したものは、巻き締めと巻き戻しとの両方が可能である点で前記ラチェット機構のものより優れているが、ブレーキバネによる制動力に不安があり、スリップによって自然に巻き戻しが生じたり、時間の経過とともに緩みが生じるため長期に亘って十分な制動機能を維持できないなどの問題がある。さらに、ブレーキバネに抗して調整軸を回転させなければならず、調整に係る労が大きいなどの問題があった。
【０００５】
前記特許文献３に記載された釣合装置は、調整軸の回転方向と楔効果とを巧みに利用して確実な制動力が得られるようにするとともに、巻き戻しも簡単に行えるようにした点で他のものより優れている。しかし、部品数も多く制動部の構造が複雑であるとともに、巻き戻しに際して段階的な調整ができないなどの問題があった。
【０００６】
また、前述のように、巻き戻しを段階的に調整できず、捻りバネの捻り力が一気に全開放されてしまう釣合装置の場合、仮に可動障子を開けた状態で捻りバネの捻り力を開放した際、うっかり可動障子を支えるのを忘れていると、自重によって可動障子が急に落下してしまい、不慮の怪我や障子の破損が生じることがあるなどの問題があった。
【０００７】
そこで、本出願人は下記特許文献４において、ケースと、このケース内の所定位置に水平軸回りに回転自在に設置され、軸部周囲にラチェットギアが形成された水平ギア部材と、前記水平ギア部材の隣接位置に水平軸回りに所定角度範囲で回動自在に設置され、中間軸部の両側に夫々前記水平ギア部材方向に延出する２つクリックを備えたクリック部材と、前記水平ギア部材と噛合する鉛直ギア部材とからなり、前記クリック部材は一方側クリックが前記水平ギア部材に形成されたラチェットギアと付勢的に噛合し、該一方側クリックの噛合が揺動操作によって解除された際、前記他方側クリックがラチェットギアに噛合するようになっており、捻りバネを１ギアづつ巻き戻しできるようにした釣合力調整装置を提案した。
【先行技術文献】
【特許文献】
【０００８】
【特許文献１】特開平３−１６１６８３号公報
【特許文献２】特開平３−１８０６８３号公報
【特許文献３】特開平４−２３８９８４号公報
【特許文献４】特開２００３−３２８６３６号公報
【発明の概要】
【発明が解決しようとする課題】
【０００９】
しかしながら、前記特許文献４記載の発明では、初期捻り力の導入および調整は、前記水平ギア部材のねじ回し係合部にドライバー等の工具を当て回転させるだけで簡単に作業が行えるようになるとともに、クリック部材をドライバー等によって左右方向に所定角度で往復回転することによって１ギアづつ巻き戻しできるようになるが、水平ギア部材を何回巻き締めしたか、前記クリック部材により何回巻き戻しを行ったかを数えていないと、初期導入力をどの程度導入したか全く分からなくなってしまうなどの問題があった。
【００１０】
そこで本発明の主たる課題は、巻き締めはもとより巻き戻しに関して段階的調整を可能とした上げ下げ窓の釣合力調整装置及びこれを用いた上げ下げ窓において、捻り力の導入程度が一目で判別できるようにすることにある。
【課題を解決するための手段】
【００１１】
前記課題を解決するための請求項１に係る発明として、ケースと、このケース内の所定位置に水平軸回りに回転自在に設置され、頭部側にギアが形成されるとともに、軸部周囲にラチェットギアが形成され、かつケース外部に臨む軸端面にネジ回し係合部が形成された水平ギア部材と、前記水平ギア部材の隣接位置に水平軸回りに所定角度範囲で回動自在に設置されるとともに、ケース外部に臨む軸端面にネジ回し係合部が形成され、かつケース内において中間軸部の両側に夫々前記水平ギア部材方向に延出する２つクリックを備えるとともに、前記クリックの一方が前記水平ギア部材の軸部に形成されたラチェットギアと付勢的に噛合し、該クリックの一方の噛合が揺動操作によって解除された際、前記クリックの他方がラチェットギアに噛合する関係にあるクリック部材と、前記ケース内の所定位置に鉛直軸回りに回転自在に設置され、前記水平ギア部材頭部のギアと噛合するギアを備えるとともに、軸部を備え、前記水平ギア部材の回転により従動的に回転する鉛直ギア部材と、この鉛直ギア部材の軸部に螺合されるとともに、外周面に形成された凸部を前記ケースに形成された縦方向スリット溝より外部に望ませ、前記鉛直ギア部材の回転に伴って上下動するようにした初期導入力表示用インジケータ部材とから構成されることを特徴とする上げ下げ窓の釣合力調整装置が提供される。
【００１２】
上記請求項１に係る本発明においては、先ず、初期捻り力の導入および調整は、前記水平ギア部材のねじ回し係合部にドライバー等の工具を当て回転させるだけで簡単に作業が行えるようになる。また、クリック部材をドライバー等によって左右方向に所定角度で往復回転することによって１ギアづつ巻き戻しできるようになるため、導入捻り力の調整が容易に行えるようになるとともに、調整中に可動障子が落下するような事態も完全に回避できるようになる。もちろん、ラチェット機構による噛合であるため、調整後には一切の緩みやスリップ等を発生させることが無くなる。
【００１３】
また、鉛直ギア部材の軸部に螺合されるとともに、外周面に形成された凸部を前記ケースに形成された縦方向スリット溝より外部に臨ませ、前記鉛直ギア部材の回転に伴って上下動するようにした初期導入力表示用インジケータ部材を設けたため、前記凸部の上下位置により、捻り力の導入程度が一目で判別できるようになる。
【００１４】
請求項２に係る発明として、前記ケースにおいて、インジケータ部材の凸部を外部に臨ませた縦方向スリット溝に沿って目盛りを設けてある請求項１記載の上げ下げ窓の釣合力調整装置が提供される。
【００１５】
請求項３に係る本発明として、上下方向に開閉される可動障子に設けられ、該可動障子の重量と力学的平衡関係を保ち可動障子を任意の位置に静止させるとともに、開閉操作を容易化するための釣合装置を備えた上げ下げ窓であって、
前記釣合装置は、縦枠の上部位置に固定配置される請求項１、２いずれかに記載の釣合力調整装置と、
捻りバネ収納筒と、内部に収容される捻りバネと、捻りバネの下端部に設けられる回転作動体とから構成され、前記釣合力調整装置の鉛直ギア部材に連結されて鉛直配置で設けられ、釣合力調整装置における調整操作により少なくとも捻りバネが軸芯回りに回転操作され、捻りバネに対する釣合力の導入・調整が可能となっているとともに、可動障子の開閉時に前記捻りバネにより可動障子と釣り合う上方向力を与える釣合力発生装置と、
前記可動障子の下端がわ側部に固設され、可動障子の上下動に伴って昇降するスライド体と、
このスライド体に下端が固定され、先端部分が前記釣合力発生装置の回転作動体を貫いて捻りバネ収納筒の内部に挿入され、前記可動障子の上下動に伴って前記回転作動体に鉛直軸回りの回転力を与えることにより捻りバネを巻き締め・巻き戻し動作させる螺旋杆とから構成されたことを特徴とする上げ下げ窓が提供される。
【発明の効果】
【００１６】
以上詳説のとおり本発明によれば、巻き締めはもとより巻き戻しに関して段階的調整を可能とした上げ下げ窓の釣合力調整装置及びこれを用いた上げ下げ窓において、捻り力の導入程度が一目で判別できるようになる。
【図面の簡単な説明】
【００１７】
【図１】釣合装置５を備えた上げ下げ窓１の正面図である。
【図２】釣合装置５の構造図である。
【図３】図１のIII−III線矢視図である。
【図４】図１のIV−IV線矢視図である。
【図５】釣合力調整装置６の全体斜視図である。
【図６】釣合力調整装置６の(A)は拡大半断面図、(B)は拡大正面図である。
【図７】釣合力調整装置６の分解図である。
【図８】水平ギア部材２３を示す(A)は側面図、(B)は正面図、(C)は底面図である。
【図９】クリック部材２４を示す(A)は側面図、(B)は正面図、(C)は裏面図である。
【図１０】水平ギア部材２３とクリック部材２４の係合状態を示す図である。
【図１１】鉛直ギア部材２６を示す(A)は側面図、(B)は平面図、(C)は底面図である。
【発明を実施するための形態】
【００１８】
以下、本発明の実施の形態について図面を参照しながら詳述する。
【００１９】
上げ下げ窓１は、図１に示されるように、窓枠２の内部に縦枠２Ａ，２Ｂに沿って昇降自在とされる内側障子３と外側障子４とを備え、前記縦枠２Ａ，２Ｂ内に沿って配設された釣合装置５、５によって前記障子３、４が任意の位置に静止可能とされる。なお、前記釣合装置５は内側障子３と外側障子４とに夫々取付けられるが、両者は後述の捻りバネ収納筒９、捻りバネ１０、螺旋杆１２の長さ寸法、および内側障子３側に対してのみ釣合装置５の外側に着脱自在の戸当たり７が設けられる点で相違するだけで、基本的構造は同一であるため、内側障子３（以下、単に障子という。）についてのみ説明する。
【００２０】
前記釣合装置５は、詳細には図２に示されるように、縦枠２Ａ（２Ｂ）の上方側に固定配置されるとともに、釣合力を調整するための釣合力調整装置６と、釣合力を発生させるための釣合力発生装置８と、障子３の下框側部に固設され障子３と共に昇降するスライドブロック１１と、このスライドブロック１１と前記釣合力発生装置８とを動作的に連携させるために、下端が前記スライドブロック１１に連結され、先端側は前記釣合力発生装置８の下端面より内部に挿入され、スライドブロック１１の昇降に伴って前記釣合力発生装置８の内部に配設された捻りバネ１０を巻き締め／巻き戻し動作させる螺旋杆１２とから構成される装置である。
【００２１】
前記釣合力調整装置６については後述するとして、先ず前記釣合力発生装置８は、鉛直配置で釣合力調整装置６より垂下された捻りバネ収納筒９の内部に、所定幅のバネ板を螺旋状に加工した捻りバネ１０を内装させ、この捻りバネ１０の下端部に前記螺旋杆１２の上下動によって同位置で鉛直軸回りに回転される回転作動体１３を設けたものである。前記回転作動体１３は、その中央部に捻りバネ１０の断面形状に相応するスリット孔１３ａが形成され、このスリット孔１３ａを貫通する前記螺旋杆１２が障子３の上下動に伴って昇降されると、螺旋杆１２の捻り面に案内されて前記回転作動体１３が回転し、捻りバネ１０を巻き締めたり、巻き戻したりする。
【００２２】
実際には、前記螺旋杆１２の下降に伴って回転作動体１３を巻き方向に回転させて捻りバネ１０を巻き締め、障子３の上昇に伴って回転作動体１３を反対方向に回転させて捻りバネ１０を巻き戻しする。従って、前記捻りバネ１０に対して予め障子３の最大上昇位置において釣り合う捻り力を与えておくと、捻りバネ１０は障子３がどの昇降位置にあっても障子３と釣り合うようになり、任意の障子開位置で静止できるようになるとともに、上下方向に力が均衡しているため僅かの力で障子３を昇降操作できるようになる。
【００２３】
前記捻りバネ収納筒９は、ほぼ障子３の縦框相当の長さを有する筒体であり、上端部に固定配置された釣合力調整装置６より垂下され、釣合力調整装置６における調整により、内装された捻りバネ１０とともに、鉛直軸を回転中心として回転することにより、初期釣合力の導入およびその後に捻りバネ１０による釣合力を調整できるようになっている。
【００２４】
前記釣合力調整装置６は、主に図５〜図７に示されるように、各構成部材を収納するケース２０と、このケース２０内の所定位置に水平軸回りに回転自在に設置される水平ギア部材２３と、前記ケース２０内の前記水平ギア部材２３より上方位置に隣接して設置されたクリック部材２４と、前記ケース２０内の所定位置に鉛直軸回りに回転自在に設置され、上部を前記水平ギア部材２３のギアに噛合させて配置することにより、前記水平ギア部材２３の回転により従動的に回転される鉛直ギア部材２６と、この鉛直ギア部材２６の軸部２６ｃに螺合されるとともに、外周面に形成された凸部２７ｂを前記ケース２０に形成された縦方向スリット溝２１ｍより外部に望ませ、前記鉛直ギア部材２６の回転に伴って上下動するようにした初期導入力表示用インジケータ部材２７とからなる装置であり、ケース２０の下方側に突出する前記鉛直ギア部材２６の軸部２６ｃが前記捻りバネ収納筒９内に挿入され、この軸部２６ｃおよび捻りバネ収納筒９、捻りバネ１０を貫いて挿通された連結ボルト１４により相互に連結されている。
【００２５】
以下、前記釣合力調整装置６について図５〜図１１に基づいて詳述すると、前記ケース２０は、図７に示されるように、半割構造のケースであり、一方側半割ケース片２０Ａと、他方側半割ケース片２０Ｂとを対面合わせし、凸部２２ｂを対向面に形成された凹部に嵌合させるとともに、ネジ孔２２ａ、２２ｃに螺入されるネジ１５、１５により両者が一体化される。前記半割ケース片２０Ａ、２０Ｂは、合わせ面に形成される嵌設孔を含めて対象構造となっているため、一方側半割ケース片２０Ａについて説明する。
【００２６】
前記半割ケース片２０Ａの合わせ面において、その上部側には水平方向に沿って、本釣合力調整装置６を縦枠２Ａ、２Ｂに固定するために固定ねじの挿入孔２１ａが形成されている。この挿入孔２１ａの下側には、バネ２５が挿入されるとともに、前記クリック部材２４のバネ受け部２４Ｄが嵌設される断面逆Ｕ字状のクリック部材用第１嵌設孔２１ｂと、前記クリック部材２４の本体部（中間軸部２４Ｂ）が嵌設されるクリック部材用第２嵌設孔２１ｃとが連続して形成されている。
【００２７】
また、前記クリック部材用第２嵌設孔２１ｃの下側に連続して、前記水平ギア部材２３の本体部が嵌設される水平ギア用嵌設孔２１ｄが形成され、この水平ギア用嵌設孔２１ｄの下側に前記鉛直ギア部材２６の頭部２６ｂが嵌設される鉛直ギア用第１嵌設孔２１ｅが形成され、更にその下側に前記鉛直ギア部材２６の軸部２６ｃが挿通されるとともに、この軸部２６ｃに螺合された初期導入力表示用インジケータ部材２７が嵌設されるインジケータ用嵌設孔２１ｆが形成され、これに連続してやや小径の前記鉛直ギア部材２６の軸部２６ｃが嵌設される鉛直ギア用第２嵌設孔２１ｇが形成されている。また、前記インジケータ用嵌設孔２１ｆ部位には、ケース２０Ａの側壁に縦方向に長いスリット用半溝２１ｍが形成されるとともに、この半溝２１ｍの脇に目盛り２８が刻設されている。
【００２８】
前記水平ギア部材２３は、図８に示されるように、頭部２３Ａと、中間軸部２３Ｂと、端軸部２３Ｃとから構成される部材であり、前記頭部２３Ａには周方向に沿ってギア２３ａ、２３ａ…が形成されるとともに、前記中間軸部２３Ｂに周方向に沿ってラチェットギア２３ｂ、２３ｂ…が形成されている。前記端軸部２３Ｃは支軸となる軸であり、その先端面にはドライバー（ネジ回し）の差し込み十字溝２３ｃが形成されている。組み立て状態では、図６及び図７に示されるように、前記端軸部２３Ｃがケース２０の軸受け部２１ｉに嵌設され、前記頭部２３Ａが軸受け部２１ｈに嵌設され、水平軸回りに回動自在に設置される。なお、前記端軸部２３Ｃはケース２０の外部に臨ませている。
【００２９】
前記クリック部材２４は、図９に示されるように、両側の端軸部２４Ａ、２４Ｃと、中間軸部２４Ｂと、この中間軸部２４Ｂの上部側に一体的に延設されたバネ受け部２４Ｄと、前記中間軸部２４Ｂの下部側に延設された左右一対のクリック２４ａ、２４ｂとから構成された部材であり、前記端軸部２４Ｃの端面にはねじ回しの差し込み十字溝２４ｃが形成されている。組立状態では、図６及び図７に示されるように、前記バネ受け部２４Ｄがバネ２５と共にクリック部材用第１嵌設孔２１ｂに嵌設され、前記中間軸部２４Ｂが前記クリック部材用第２嵌設孔２１ｃに嵌設され、前記端軸部２４Ａが軸受け部２１ｊに嵌設され、前記端軸部２４Ｃが軸受け部２１ｋに嵌設され、水平軸回りに所定角度範囲で回動自在に設置される。なお、前記端軸部２４Ｃはケース２０の外部に臨ませている。また、図１０に示されるように、水平ギア部材２３側に延出する２つのクリック２４ａ、２４ｂの内、バネ２５による付勢力によってクリック２４ａが水平ギア部材２３のラチェットギア２３ｂに噛合するようになっている。
【００３０】
他方、前記鉛直ギア部材２６は、図１１に示されるように、上面側周囲にギア２６ａ、２６ａ…を有する頭部２６ｂと、この頭部から連続する軸部２６ｃと、この軸部２６ｃの下端に形成された連結部２６ｄからなる部材であり、前記軸部２６ｃの上部側にはネジ部２６ｅが形成されている。
【００３１】
組立状態では、図６及び図７に示されるように、頭部２６ｂがケース２０の鉛直ギア用嵌設孔２１ｅに嵌設され、前記軸部２６ｃが鉛直ギア用第２嵌設孔２１ｇに嵌設され、鉛直軸回りに回転自在に設置される。前記水平ギア部材２３のラチェットギア２３ｂと前記鉛直ギア部材２６のギア２６ａとは互いに噛合し、水平ギア部材２３の回転が鉛直ギア部材２６に伝えられ、鉛直ギア部材２６が従動的に軸芯回りに回転するようになっている。
【００３２】
前記初期導入力表示用インジケータ部材２７は、図７に示されるように、内面にネジが形成されたリング状部材であり、本体２７ａの外周面に１つの凸部２７ｂが形成されている。この凸部２７ｂには一目で判別し易いように、赤や緑等の着色を施すことが望ましい。組み立て状態では、図６及び図７に示されるように、前記鉛直ギア部材２６の軸部２６ｃ（ネジ部２６ｅ）に螺合するとともに、凸部２７ｂをスリット用半溝２１ｍに係合させた状態で、インジケータ用嵌設孔２１ｆに嵌設される。従って、前記鉛直ギア部材２６が回転すると、インジケータ部材２７は前記凸部２７ｂの係合によって回動が規制されている結果、上下方向に移動するようになっている。初期状態では、図６に示されるように、前記インジケータ部材２７の凸部２７ｂがスリット溝２１ｍの下端に位置するようになっている。
【００３３】
以上のように構成される釣合力調整装置６において、上げ下げ窓１の設置時に捻りバネ１０に対し初期捻り力を導入するには、図６に示されるように、前記水平ギア部材２３の差し込み溝十字２３ｃにドライバー３０の先端をあてがい、付勢力に抗して前記水平ギア部材２３を軸芯回りに右回転させると、この回転が直交配置の前記鉛直ギア部材２６に伝達され、鉛直ギア部材２６が軸芯回りに回転される。そして、鉛直ギア部材２６の軸部２６ｃの回転によって、捻りバネ収納筒９および捻りバネ１０が、前記捻りバネ１０の巻き締め方向に回転され、捻りバネ１０に釣合力が付与されるようになる。
【００３４】
逆に、前記捻りバネ１０を緩めたい場合には、前記クリック部材２４先端面の差し込み十字溝２４ｃにドライバー３０の先端をあてがい、前記クリック部材２４を右方向に回転すると、クリック２４ａと水平ギア部材２３のラチェットギア２３ｂとの噛合状態が解かれる。しかし、この際には、他方側クリック２４ｂが前記ラチェットギア２３ｂと噛合するので、水平ギア部材２３は１ギア分だけ回転して静止するようになる。従って、ドライバー３０を左右方向に往復回転することによって、１ギアづつ巻き戻しできるようになるとともに、障子３の落下も防止できるようになる。
【００３５】
また、前記巻き締め及び巻き戻しに伴って、前記鉛直ギア部材２６は正方向及び逆方向に回転することになるが、この回転に伴って、初期導入力表示用インジケータ部材２７は、巻き締めに際して上方向に移動し、巻き戻しに際して下方向に移動することになる。従って、初期導入力表示用インジケータ部材２７の凸部２７ｂがスリット溝のどの位置に定位しているかによって、捻り力の導入程度が一目で判別できるようになる。
【００３６】
〔他の形態例〕
(1)上記形態例では直交配置される水平ギア部材２３のギア２３ａと鉛直ギア部材２６のギア２６ａとを夫々、直交面に形成したが、カサ歯車のように噛合面を夫々円錐面とすることもできる。また、釣合力発生装置８を釣合力調整装置６に吊持している関係上、鉛直ギア部材２６の軸部２６ｃを捻りバネ収納筒９、捻りバネ１０と共に連結し、鉛直ギア部材２６の回転によって捻りバネ１０の他に捻りバネ収納筒９も一緒に回転させるようにしているが、たとえば捻りバネ収納筒９を別に支持し、前記軸部２６ｃと捻りバネ１０とを連結し、鉛直ギア部材２６の回転によって捻りバネ１０のみを回転させるようにしてもよい。
【００３７】
(2)上記形態例では、前記鉛直ギア部材２６の回転に伴って、初期導入力表示用インジケータ部材２７は、巻き締めに際して上方向に移動し、巻き戻しに際して下方向に移動するようにしたが、例えば鉛直ギア部材２６と初期導入力表示用インジケータ部材２７との螺合を逆ネジとし、初期状態を上端とし、巻き締めに際して下方向に移動し、巻き戻しに際して上方向に移動するようにしてもよい。いずれにしても、インジケータ部材２７の移動量が定量的に判別できればよい。
【００３８】
(3)また、元々下段側に位置する障子３は、障子を閉めた状態（降ろした状態）で調整を行うことができ、この場合には捻りバネ力を一気に開放したとしても、障子３が落下することがないため、前記クリック部材２４は水平ギア部材２３のラチェットギア２３ｂに常時噛合している一方側クリック２４ａのみの構造とすることもできる。
【符号の説明】
【００３９】
１…上げ下げ窓、２Ａ・２Ｂ…縦枠、３…内側障子、４…外側障子、５…釣合装置、６…釣合力調整装置、７…戸当たり、８…釣合力発生装置、９…捻りバネ収納筒、１０…捻りバネ、１１…スライドブロック、１２…螺旋杆、１３…回転作動体、１４…連結ボルト、２０…ケース、２３…水平ギア部材、２３Ａ…頭部ギア、２３ｂ…ラチェットギア、２４…クリック部材、２４ａ・２４ｂ…クリック、２５…バネ、２６…鉛直ギア部材、２６ａ…ギア、２７…初期導入力表示用インジケータ部材、２７ｂ…凸部（インジケータ用）
【図１】
2011017181.tif 000003
【図２】
2011017181.tif 000004
【図３】
2011017181.tif 000005
【図４】
2011017181.tif 000006
【図５】
2011017181.tif 000007
【図６】
2011017181.tif 000008
【図７】
2011017181.tif 000009
【図８】
2011017181.tif 000010
【図９】
2011017181.tif 000011
【図１０】
2011017181.tif 000012
【図１１】
2011017181.tif 000013